(57)【特許請求の範囲】
【請求項１】
光波長の分割および多重を行うターミナル局間に、多重光信号を波長毎に取り出すと共に波長毎に多重するＡｄｄ／Ｄｒｏｐ処理を行うＯＡＤＭ局が光回線で接続されて成る光波長分割多重システムにおいて、
前記ターミナル局の受信側に、受信側の入力断障害を検出して出力遮断要求を出す受信トランスポンダ手段と、前記出力遮断要求を特定チャンネルに割り当てたのち上流ターミナル局側へ転送する第１の送受信手段とを備え、
前記ＯＡＤＭ局に、前記Ａｄｄ／Ｄｒｏｐ処理の結果を示す情報を保持し、この保持情報と前記特定チャンネルに割り当てられた出力遮断要求とを比較し、その出力遮断要求のチャンネルが多重されてなければ出力遮断要求をそのままの状態で上流ターミナル局側へ転送し、多重されていれば出力遮断要求に従ったＯＡＤＭ局内のトランスポンダの光出力を遮断する第２の送受信手段を備え、
前記ターミナル局の送信側に、前記特定チャンネルに割り当てられた出力遮断要求に従って光出力を遮断し、この遮断状態を保持する送信トランスポンダ手段を備えたことを特徴とする光波長分割多重システム。
【発明の詳細な説明】
【０００１】
【発明の属する技術分野】
本発明は、多重光信号を波長毎に取り出す（Ｄｒｏｐ）と共に波長毎に多重する（Ａｄｄ）処理を行うＯＡＤＭ(Optical Add/Drop Multiplexer)局が、ターミナル局間に監視用光回線で接続されて構成される光波長分割多重システムに関する。
【０００２】
【従来の技術】
従来、光波長分割多重（以下、ＤＷＤＭ）システムでは、一端のターミナル局（第１ターミナル局）において、Ｎ個の波長合成器それぞれでｎチャンネルずつの光波長を多重し、これらの信号を合波器で１つのＤＷＤＭ信号に合波する。次に、そのＤＷＤＭ信号をＯＡＤＭ局でＡｄｄ／Ｄｒｏｐ処理を行った後、他端のターミナル局（第２ターミナル局）において、受信アンプで増幅し、この増幅されたＤＷＤＭ信号を分波器でｎチャンネルずつ分波し、これらの信号をＮ個の波長分波器それぞれでｎチャンネルの光波長に分離する処理が行われていた。
【０００３】
【発明が解決しようとする課題】
しかし、従来の光波長分割多重システムにおいては、例えば第２ターミナル局において波長分波器の交換作業を行うために、受信アンプと波長分波器間の光コネクタ接続を外す場合、そこで起こる反射によって受信アンプを介して取り外し対象外の波長分波器に接続されている受信トランスポンダに障害を与える可能性がある。このため、対向側の第１ターミナル局まで作業者が出向き、第２ターミナル局の作業者と連絡をとりながら第１ターミナル局側の該当する波長合成器に接続された送信トランスポンダの出力を手動で遮断しなければならいという問題がある。
【０００４】
また、受信アンプで検出した反射や波長分波器の入力断障害をトリガにシステム管理系が受信アンプをシャットダウンさせて光出力を止める方式があるが、この方式では作業対象外の回線まで断となってしまうという問題がある。
【０００５】
本発明はかかる点に鑑みてなされたものであり、受信アンプと受信トランスポンダが接続された波長分波器間の光コネクタ接続を外す場合に、手動による送信トランスポンダの出力遮断操作を不要とすることができ、作業対象外の回線に傷害を与えないようにすることができる光波長分割多重システムを提供することを目的とする。
【０００６】
【課題を解決するための手段】
上記課題を解決するために、本発明の光波長分割多重システムは、光波長の分割および多重を行うターミナル局間に、多重光信号を波長毎に取り出すと共に波長毎に多重するＡｄｄ／Ｄｒｏｐ処理を行うＯＡＤＭ局が光回線で接続されて成る光波長分割多重システムにおいて、前記ターミナル局の受信側に、受信側の入力断障害を検出して出力遮断要求を出す受信トランスポンダ手段と、前記出力遮断要求を特定チャンネルに割り当てたのち上流ターミナル局側へ転送する第１の送受信手段とを備え、前記ＯＡＤＭ局に、前記Ａｄｄ／Ｄｒｏｐ処理の結果を示す情報を保持し、この保持情報と前記特定チャンネルに割り当てられた出力遮断要求とを比較し、その出力遮断要求のチャンネルが多重されてなければ出力遮断要求をそのままの状態で上流ターミナル局側へ転送し、多重されていれば出力遮断要求に従ったＯＡＤＭ局内のトランスポンダの光出力を遮断する第２の送受信手段を備え、前記ターミナル局の送信側に、前記特定チャンネルに割り当てられた出力遮断要求に従って光出力を遮断し、この遮断状態を保持する送信トランスポンダ手段を備えたことを特徴としている。
【０００７】
【発明の実施の形態】
以下、本発明の実施の形態について、図面を参照して詳細に説明する。
【０００８】
図１は、本発明の実施の形態に係る光波長分割多重システムの構成を示すブロック図である。
【０００９】
この図１に示す光波長分割多重システム１０は、Ａターミナル局１２とＺターミナル局１４との間に、イン・ライン・アンプ局１６およびＯＡＤＭ局１８が光ファイバーによる第１のライン２０ａ，２０ｂ，２０ｚおよび第２のライン２２ａ，２２ｂ，２２ｚで接続されて構成されている。
【００１０】
Ａターミナル局１２は、ｎ個のＴｘＰＮＤ（送信トランスポンダ）が各々に接続されたＮ個のＯＭＵＸ（波長合成器）２４−１〜２４−Ｎと、これらＯＭＵＸ２４−１〜２４−Ｎに接続された合波器２６と、この合波器２６に接続された送信アンプ２８と、この送信アンプ２８および第１のライン２０ａに接続された合波器３０と、第２のライン２２ａに接続された分波器３２と、この分波器３２に接続された受信アンプ３４と、この受信アンプ３４に接続された分波器３６と、この分波器３６に接続されたＮ個のＯＤＭＵＸ（波長分波器）３８−１〜３８−Ｎと、このＯＤＭＵＸ３８−１〜３８−Ｎの各々にｎ個ずつ接続されたＲｘＰＮＤ（受信トランスポンダ）と、合波器３０および分波器３２に接続されたＯＳＣ(Optical Supervisory Channel)送受信器４０とを備えて構成されている。
【００１１】
イン・ライン・アンプ局１６は、第１のライン２０ａに接続された分波器４２と、この分波器４２に接続されたイン・ライン・アンプ４４と、このアンプ４４および第１のライン２０ｂに接続された合波器４６と、第２のライン２２ｂに接続された分波器４８と、この分波器４８に接続されたイン・ライン・アンプ５０と、このアンプ５０および第２のライン２２ｂに接続された合波器５２と、分波器４２，４８および合波器４６，５２に接続されたＯＳＣ送受信器５４とを備えて構成されている。
【００１２】
ＯＡＤＭ局１８は、第２のライン２２ｂに接続された分波器５６と、この分波器５６に接続されたイン・ライン・アンプ５８と、このアンプ５８に接続された分波器６０と、この分波器６０に接続されたＮ個の光クロスコネクト部６２−１〜６２−Ｎと、これら光クロスコネクト部６２−１〜６２−Ｎに接続された合波器６４と、この合波器６４に接続されたブースタアンプ６６と、このブースタアンプ６６および第１のライン２０ｚに接続された合波器６８と、第２のライン２２ｚに接続された分波器７０と、分波器７０に接続されたイン・ライン・アンプ７２と、このアンプ７２に接続された分波器７４と、この分波器７４に接続されたＮ個の光クロスコネクト部７６−１〜７６−Ｎと、これら光クロスコネクト部７６−１〜７６−Ｎに接続された合波器７８と、この合波器７８に接続されたブースタアンプ８０と、このアンプ８０および第２のライン２２ｂに接続された合波器８２と、分波器５６，７０および合波器６８，８２に接続されたＯＳＣ送受信器８４と、各光クロスコネクト部６２−１〜６２−Ｎと７６−１〜７６−Ｎに接続されたＲｘＰＮＤおよびＴｘＰＮＤとを備えて構成されている。
【００１３】
Ｚターミナル局１４は、第１のライン２０ｚに接続された分波器８６と、この分波器８６に接続された受信アンプ８８と、この受信アンプ８８に接続された分波器９０と、この分波器９０に接続されたＮ個のＯＤＭＵＸ９２−１〜９２−Ｎと、このＯＤＭＵＸ９２−１〜９２−Ｎの各々にｎ個ずつ接続されたＲｘＰＮＤと、ｎ個のＴｘＰＮＤが各々に接続されたＮ個のＯＭＵＸ９４−１〜９４−Ｎと、これらＯＭＵＸ９４−１〜９４−Ｎに接続された合波器９６と、この合波器９６に接続された送信アンプ９８と、この送信アンプ９８および第２のライン２２ｚに接続された合波器１００と、この合波器１００および分波器８６に接続されたＯＳＣ送受信器１０２とを備えて構成されている。
【００１４】
次に、このような各構成要素の機能を説明するが、同一機能の構成要素については１つを代表して説明し他を省略する。
【００１５】
ＲｘＰＮＤは、各チャンネルの波長に分離された信号を受信し、ＳＤＨ(Synchronous Digital Hierarchy)／ＳＯＮＥＴ(Synchronous Optical Network)信号を出力する。またＲｘＰＮＤは、入力部分に入力断を検出する回路を備えており、入力断が発生した場合にＯＳＣ送受信器４０，１０２に出力側の遮断を要求（出力遮断要求）するものである。
【００１６】
ＴｘＰＮＤは、ＳＤＨ／ＳＯＮＥＴ信号を受信し、それぞれチャンネル毎の波長に変換してＯＭＵＸ２４−１〜２４−Ｎ又は９４−１〜９４−Ｎへ出力する。また、出力遮断要求に従って自体の光出力を遮断し、更に一旦遮断した光出力断の状態をラッチするものである。
【００１７】
ＯＭＵＸ２４−１〜２４−Ｎは、それぞれｎチャンネルずつの波長を多重するものである。合波器２６は、ＯＭＵＸ２４−１〜２４−Ｎで多重された信号を１つのＤＷＤＭ信号に合波するものである。各アンプ２８，３４，４４，５０，５８，６６，７２，８０，８８，９８は、ＤＷＤＭ信号を増幅するものである。合波器３０は、アンプ２８からのＤＷＤＭ信号とＯＳＣ送受信器４０からのＯＳＣを合波するものである。
【００１８】
ＯＳＣ送受信器４０は、ＤＷＤＭ信号とは異なる波長帯でシステム１０内の装置管理データやユーザーデータを装置間で通信するためのＯＳＣの送信および終端を行う。またＯＳＣ送受信器４０は、図２に示すチャンネル（Ｃｈ１〜ｎ）毎の光遮断を要求する「ＳＨＵＴＤＯＷＮ要求ｂｉｔ」をＯＳＣにアサインし、要求に従って情報を上流へ転送するものである。
【００１９】
但し、ＯＡＤＭ局１８のＯＳＣ送受信器８４は、図示せぬメモリにＯＡＤＭテーブルを備えており、ＯＡＤＭテーブルは光クロスコネクトに応じたＡｄｄ／Ｄｒｏｐ情報（光クロスコネクト情報）を持っており、ＯＳＣ送受信器１８が受信した際に光遮断が要求されているチャンネルと、自体がＡｄｄしているチャンネルとの比較を行うことで、それらの情報が一致した場合は該当チャンネルのＴｘＰＮＤに出力遮断を要求し、「ＳＨＵＴＤＯＷＮ要求ｂｉｔ」をクリアして、更に上流へと転送する。一致しない場合はそのまま上流へと転送する。
【００２０】
光クロスコネクト部６２−１〜６２−Ｎおよび７６−１〜７６−Ｎは、それぞれｎチャンネル毎に光クロスコネクトによりＡｄｄ／Ｄｒｏｐを行うものである。
【００２１】
イン・ライン・アンプ局１６に示す種類の分波器４２は、ＤＷＤＭ信号とＯＳＣとを分波するものである。Ａターミナル局１２に示す種類の分波器３６は、ＤＷＤＭ信号をＮチャンネルずつ分波し、ＯＤＭＵＸ３８−１〜３８−Ｎは、それら分波された信号を、それぞれｎチャンネルの波長に分離するものである。
【００２２】
このような図１の光波長分割多重システム１０を具体化して、Ｎ＝２、ｎ＝４０とした場合の構成を図３に示し、その動作説明を行う。但し、図３において図１の各部に対応する部分には同一符号を付す。
【００２３】
Ａターミナル局１２の第１のライン２０ａ側では、ＴｘＰＮＤ  ＣＨ１〜４０がＯＭＵＸ２４−１で、ＴｘＰＮＤ  ＣＨ４１〜８０がＯＭＵＸ２４−２でそれぞれ４０チャンネルずつ多重され、更に合波器２６で１つの８０波ＤＷＤＭ信号に合波される。このＤＷＤＭ信号は送信アンプ２８で増幅された後、第１のライン２０ａを介してイン・ライン・アンプ局１６へ送出される。
【００２４】
イン・ライン・アンプ局１６では、ＤＷＤＭ信号が分波器４２を介してイン・ライン・アンプ４４に入力され、ここで増幅されたのち第１のライン２０ｂを介してＯＡＤＭ局１８へ送出される。
【００２５】
ＯＡＤＭ局１８では、ＤＷＤＭ信号が分波器５６を介してイン・ライン・アンプ５８で増幅され、分波器６０で分波されたのち第１のライン側の光クロスコネクト部６２−１と６２−２に入力される。光クロスコネクト部６２−１では、ＣＨ１〜４０の光クロスコネクトによりそれぞれＡｄｄ／Ｄｒｏｐされ、光クロスコネクト部６２−２ではＣＨ４１〜８０の光クロスコネクトによりそれぞれＡｄｄ／Ｄｒｏｐされる。ここではＣＨ１がＤｒｏｐされると共にＡｄｄされるケースを示す。
【００２６】
光クロスコネクト部６２−１と６２−２からのＤＷＤＭ信号は合波器６４で合波され、ブースタアンプ６６で増幅されたのち合波器６８および第１のライン２０ｚを介してＺターミナル局１４へ送出される。
【００２７】
Ｚターミナル局１４では、ＤＷＤＭ信号が分波器８６を介して受信アンプ８８で増幅されたのち分波器９０で４０チャンネルずつに分波され、これらがＯＤＭＵＸ９２−１でＣＨ１〜４０に、ＯＤＭＵＸ９２−２でＣＨ４１〜８０に分離され、それぞれＲｘＰＮＤ  ＣＨ１〜４０とＣＨ４１〜８０で受信される。
【００２８】
一方、Ｚターミナル局１４の第２のライン２２ｚ側では、ＴｘＰＮＤ  ＣＨ１〜４０がＯＭＵＸ９４−１で、ＴｘＰＮＤ  ＣＨ４１〜８０がＯＭＵＸ９４−２でそれぞれ４０チャンネルずつ多重され、更に合波器９６で１つの８０波ＤＷＤＭ信号に合波される。このＤＷＤＭ信号は送信アンプ９８で増幅された後、第２のライン２２ｚを介してＯＡＤＭ局１８へ送出される。
【００２９】
ＯＡＤＭ局１８では、ＤＷＤＭ信号が分波器７０を介してイン・ライン・アンプ７２で増幅され、分波器７４で分波されたのち第２のライン側の光クロスコネクト部７６−１と７６−２に入力される。光クロスコネクト部７６−１では、ＣＨ１〜４０の光クロスコネクトによりそれぞれＡｄｄ／Ｄｒｏｐされ、光クロスコネクト部７６−２ではＣＨ４１〜８０の光クロスコネクトによりそれぞれＡｄｄ／Ｄｒｏｐされる。ここではＣＨ４１がＤｒｏｐされ、ＣＨ８０がＡｄｄされるケースを示す。
【００３０】
光クロスコネクト部７６−１と７６−２からのＤＷＤＭ信号は合波器７８で合波され、ブースタアンプ８０で増幅されたのち合波器８２および第２のライン２２ｂを介してイン・ライン・アンプ局１６へ送出される。
【００３１】
イン・ライン・アンプ局１６では、ＤＷＤＭ信号が分波器４８を介してイン・ライン・アンプ５０に入力され、ここで増幅されたのち第２のライン２２ａを介してＡターミナル局１２へ送出される。
【００３２】
Ａターミナル局１２では、ＤＷＤＭ信号が分波器３２を介して受信アンプ３４で増幅されたのち分波器３６で４０チャンネルずつに分波され、これらがＯＤＭＵＸ３８−１でＣＨ１〜４０に、ＯＤＭＵＸ３８−２でＣＨ４１〜８０に分離され、それぞれＲｘＰＮＤ  ＣＨ１〜４０とＣＨ４１〜８０で受信される。
【００３３】
次に、この図３に示した光波長分割多重システム１０において、各ターミナル局１２，１４のＯＤＭＵＸの光コネクタ接続が外れた場合の動作を、図４を参照して説明する。但し、図４において図３の各部に対応する部分には同一符号を付す。また、図２に示すように、ＯＳＣにチャンネル毎の光遮断を要求するｂｉｔがアサインされているとする。
【００３４】
まず、図４に示すＺターミナル局１４において、×印２０１で示すように、ＯＤＭＵＸ９２−２を分波器９０に接続している光コネクタが外れ、×印２０２で示すように、ＯＤＭＵＸ９２−２に接続されているＲｘＰＮＤ  ＣＨ４１で入力断障害が発生したとする。この場合、ＲｘＰＮＤ  ＣＨ４１でその入力断障害が検出されて出力遮断要求が、矢印２０３で示すようにＯＳＣ送受信器１０２へ送出される。
【００３５】
ＯＳＣ送受信器１０２では、図２に示した「ＳＨＵＴＤＯＷＮ要求ｂｉｔ」のＣＨ４１が「１」とされ、このＳＨＵＴＤＯＷＮ要求信号（出力遮断要求）が、合波器１００、第２のライン２２ｚ、分波器７０を経由してＯＳＣ送受信器８４に繋がる監視用光回線２０４を介して、ＯＡＤＭ局１８のＯＳＣ送受信器８４へ転送される。
【００３６】
ＯＡＤＭ局１８では自体がＡｄｄ／Ｄｒｏｐしているチャンネル情報が、ＯＳＣ送受信器８４のＯＡＤＭテーブルに保持されており、ＯＳＣ送受信器８４において、その保持情報とＯＳＣ送受信器１０２から転送されてきた情報とが比較される。この結果、このケースではＳＨＵＴＤＯＷＮ要求が出ているチャンネルがＡｄｄされていないので、そのままｂｉｔ操作されず上流へ転送される。即ち、合波器８２、第２のライン２２ｂ、分波器４８を経由してＯＳＣ送受信器５４に繋がる監視用光回線を介して、イン・ライン・アンプ局１６のＯＳＣ送受信器５４へ転送される。
【００３７】
イン・ライン・アンプ局１６では、光遮断制御の対象が存在しないため、ＯＳＣ送受信器５４においては、ＳＨＵＴＤＯＷＮ要求信号はそのままｂｉｔ操作されず、上流へ転送される。即ち、合波器５２、第２のライン２２ａ、分波器３２を経由してＯＳＣ送受信器４０に繋がる監視用光回線２０５を介して、Ａターミナル局１２のＯＳＣ送受信器４０へ転送される。
【００３８】
Ａターミナル局１２では、ＯＳＣ送受信器４０が受信したＳＨＵＴＤＯＷＮ要求に従って、矢印２０６で示す対象のＴｘＰＮＤ  ＣＨ４１の出力が、×印２０７で示すように遮断される。
【００３９】
次に、×印２０８で示すように、ＯＤＭＵＸ３８−２を分波器３６に接続している光コネクタ接続が外れ、×印２０９で示すように、ＯＤＭＵＸ３８−２に接続されているＲｘＰＮＤ  ＣＨ８０で入力断障害が発生したとする。この場合、ＲｘＰＮＤ  ＣＨ８０でその入力断障害が検出されて出力遮断要求が、矢印２１０で示すようにＯＳＣ送受信器４０へ送出される。
【００４０】
ＯＳＣ送受信器４０では、図２に示した「ＳＨＵＴＤＯＷＮ要求ｂｉｔ」のＣＨ８０が「１」とされ、このＳＨＵＴＤＯＷＮ要求信号が、合波器３０、第１のライン２０ａ、分波器４２を経由してＯＳＣ送受信器５４に繋がる監視用光回線を介して、イン・ライン・アンプ局１６のＯＳＣ送受信器５４へ転送される。
【００４１】
イン・ライン・アンプ局１６では、光遮断制御の対象が存在しないため、ＯＳＣ送受信器５４においてＳＨＵＴＤＯＷＮ要求信号はそのままｂｉｔ操作がされず上流へ転送される。即ち、合波器４６、第１のライン２０ｂ、分波器５６を経由してＯＳＣ送受信器８４に繋がる監視用光回線２１１を介して、ＯＡＤＭ局１８のＯＳＣ送受信器８４へ転送される。
【００４２】
ＯＡＤＭ局１８では自体がＡｄｄ／Ｄｒｏｐしているチャンネル情報が、ＯＳＣ送受信器８４のＯＡＤＭテーブルに保持されており、ＯＳＣ送受信器８４において、その保持情報とＯＳＣ送受信器５４から転送されてきた情報とが比較される。この結果、このケースではＳＨＵＴＤＯＷＮ要求が出ているＣＨ８０がＡｄｄされているので、ＯＳＣ送受信器８４が受信したＳＨＵＴＤＯＷＮ要求に従って、矢印２１２で示す対象のＴｘＰＮＤ  ＣＨ８０の出力が×印２１３で示すように遮断される。このようにＯＡＤＭ局１８で対象チャンネルの出力遮断制御が行われた場合は、上流に対して、「ＳＨＵＴＤＯＷＮ要求ｂｉｔ」の値が「０」に戻されて転送される。即ち、合波器６８、第１のライン２０ｚ、分波器８６を経由してＯＳＣ送受信器１０２に繋がる監視用光回線２１４を介して、Ｚターミナル局１４のＯＳＣ送受信器１０２へ転送される。
【００４３】
このように、本実施の形態の光波長分割多重システムによれば、Ｚターミナル局１４の受信トランスポンダ（ＲｘＰＮＤ）で受信側の入力断障害を検出して出力遮断要求を出し、ＯＳＣ送受信器１０２でその要求をＯＳＣに割り当てて上流へ転送し、ＯＡＤＭ局１８のＯＳＣ送受信器８４で、保持中のＡｄｄ／Ｄｒｏｐ処理の結果を示す情報と、ＯＳＣ割当出力遮断要求とを比較し、その要求のチャンネルが未多重であれば要求をそのまま上流へ転送し、多重されていれば要求に従った局１８内のトランスポンダの光出力を遮断し、Ａターミナル局１２の送信トランスポンダ（ＴｘＰＮＤ）で、ＯＳＣ割当出力遮断要求に従って光出力を遮断し、この遮断状態を保持するようにした。
【００４４】
これによって、ＲｘＰＮＤの入力断障害を検出して自動的にＴｘＰＮＤの光出力を遮断することができるので、受信アンプとＲｘＰＮＤ間で光コネクタの接続が外れた場合、ハイパワーの光が空中に出力されることを防ぎ、現地作業者の安全を確保することができる。
【００４５】
また、複数のＯＤＭＵＸが接続されていて、1つのＯＤＭＵＸの光コネクタ接続を外す場合、光出力を遮断しなければ接続部で起こる反射によって受信アンプに影響を及ぼし他の作業対象外の回線に障害を与える可能性あるが、本発明では各チャンネル毎のＲｘＰＮＤの入力断障害に基づいて光出力を遮断するので、作業時に対象外の回線には障害を与えないようにすることができる。
【００４６】
この他の実施の形態としては、図２に示した「ＳＨＵＴＤＯＷＮ要求ｂｉｔ」をＯＳＣではなく、ＯＳＣ内で装置間の管理情報転送に使われているＤＣＣプロトコルに実装してもよい。また、図２に示した「ＳＨＵＴＤＯＷＮ要求ｂｉｔ」をＯＳＣではなく、ＤＷＤＭ信号の１チャンネルをアサインし、実装してもよい。これらの場合も動作については前述と同様であり、同様の効果を得ることができる。
【００４７】
【発明の効果】
以上説明したように、本発明によれば、一方のターミナル局の受信トランスポンダで受信側の入力断障害を検出して出力遮断要求を出し、ＯＳＣ送受信器でその要求をＯＳＣに割り当てて上流へ転送し、ＯＡＤＭ局のＯＳＣ送受信器で、保持中のＡｄｄ／Ｄｒｏｐ処理の結果を示す情報と先の要求とを比較し、その要求のチャンネルが未多重であれば要求をそのまま上流へ転送し、多重されていれば要求に従ったＯＡＤＭ局内のトランスポンダの光出力を遮断し、他方のターミナル局の送信トランスポンダで、先の要求に従って光出力を遮断し、この遮断状態を保持するようにした。これによって、受信アンプと受信トランスポンダが接続された波長分波器間の光コネクタ接続を外す場合に、手動による送信トランスポンダの出力遮断操作を不要とすることができ、作業対象外の回線に傷害を与えないようにすることができる。
【図面の簡単な説明】
【図１】本発明の実施の形態に係る光波長分割多重システムの構成を示すブロック図である。
【図２】ＯＳＣにＳＨＵＴＤＯＷＮ要求の情報をアサインした場合の信号フレーム構成図である。
【図３】上記光波長分割多重システムのチャンネル数を具体化した場合の構成を示すブロック図である。
【図４】上記具体化構成の光波長分割多重システムにおいてターミナル局のＯＤＭＵＸの光コネクタ接続が外れた場合の動作を説明するためのブロック図である。
【符号の説明】
１０  光波長分割多重システム
１２  Ａターミナル局
１４  Ｚターミナル局
１６  イン・ライン・アンプ局
１８  ＯＡＤＭ局
２０ａ，２０ｂ，２０ｚ  第１のライン
２２ａ，２２ｂ，２２ｚ  第２のライン
２４−１〜２４−Ｎ，９４−１〜９４−Ｎ  ＯＭＵＸ
２６，３０，４６，５２，６４，７８，８２，１００  合波器
２８，９８  送信アンプ
３２，３６，４２，４８，５６，６０，７０，７４，９０  分波器
３８−１〜３８−Ｎ，９２−１〜９２−Ｎ  ＯＤＭＵＸ
４４，５０，５８，７２  イン・ライン・アンプ
４０，５４，８４，１０２  ＯＳＣ送受信器
６２−１〜６２−Ｎ，７６−１〜７６−Ｎ  光クロスコネクト部
６６，８０  ブースタアンプ
【図１】
0003791398.tif 000002
【図２】
0003791398.tif 000003
【図３】
0003791398.tif 000004
【図４】
0003791398.tif 000005